(57)【特許請求の範囲】
【請求項１】
ばら紙幣を受入れて識別し、入金処理して収納する入金手段と、出金指令に基づいて収納ばら紙幣の出金処理を行う出金手段とを備えた紙幣入出金機において、
前記入金手段および前記出金手段が設けられた下部域と、この下部域より上にある上部域とからなる機体と、
この機体における前記下部域の前部に設けられた入金口および出金口と、
前記機体の上部域に設けられた結束用紙幣集積部と、
この集積部と前記入金手段または前記出金手段の搬送系との間の搬送路と、
前記機体の上部域に設けられ、前記集積部から送入される所定枚数の紙幣をテープにより結束する結束手段と、
前記機体の上部域に設けられ、前記結束手段から搬送されてくる紙幣束を収納する紙幣束収納部と、
前記機体における前記上部域の前部に設けられ、前記結束手段から搬送されてくる紙幣束が放出される紙幣束放出口と、
を備えたことを特徴とする紙幣入出金機。
【請求項２】
前記紙幣束収納部は紙幣束投出手段を有し、紙幣束を前記紙幣束投出手段により直接または前記紙幣束投出手段により投出されたのち搬送手段により前記紙幣束放出口へ放出するようにされている請求項１記載の紙幣入出金機。
【発明の詳細な説明】
【０００１】
【発明の属する技術分野】
本発明は紙幣入出金機に係り、特に紙幣を所定枚数毎に結束する結束機能を備えた紙幣入手金機に関する。
【０００２】
【従来の技術】
紙幣の入、出金処理に加え、紙幣を結束する機能を有する紙幣入出金機として、例えば特開平３−３４０８８号公報に示されるものが従来から知られている。
【０００３】
上記公報に記載の紙幣入出金機は、紙幣の入出金処理に用する紙幣収納庫を含む入出金部に隣接して紙幣の結束部が配設される構造となっている。
【０００４】
【発明が解決しようとする課題】
しかるに上記の構造では、紙幣の入出金部に隣接して紙幣の結束部が配設されるものであるため、必然的に紙幣の入出金部を構成するに必要な物理的スペースと、紙幣の結束部を構成するに必要な物理的スペースとが機体の奥行き方向である水平方向の内部にそれぞれ占めることになり、その結果、機体の奥行き方向の寸法が大きくなり、奥行き寸法の狭い場所への設置が困難になるという問題があった。
【０００５】
【課題を解決するための手段】
本発明は、特に奥行き方向のスペースを大きく必要とすることなく紙幣の入出金手段と紙幣の結束手段とを同一機体内に組込むことを可能とし、設置スペースの削減を図ることを課題とするもので、ばら紙幣を受入れて識別し、入金処理して収納する入金手段と、出金指令に基づいて収納ばら紙幣の出金処理を行う出金手段とを備えた紙幣入出金機において、前記入金手段および前記出金手段が設けられた下部域と、この下部域より上にある上部域とからなる機体と、この機体における前記下部域の前部に設けられた入金口および出金口と、前記機体の上部域に設けられた結束用紙幣集積部と、この集積部と前記入金手段または前記出金手段の搬送系との間の搬送路と、前記機体の上部域に設けられ、前記集積部から送入される所定枚数の紙幣をテープにより結束する結束手段と、前記機体の上部域に設けられ、前記結束手段から搬送されてくる紙幣束を収納する紙幣束収納部と、前記機体における前記上部域の前部に設けられ、前記結束手段から搬送されてくる紙幣束が放出される紙幣束放出口とを備えたことにある。
【０００７】
また、前記紙幣束収納部は紙幣束投出手段を有し、紙幣束を前記紙幣束投出手段により直接または前記紙幣束投出手段により投出されたのち搬送手段により前記紙幣束放出口へ放出するようにしてもよい。
【０００８】
【発明の実施の形態】
以下、本発明を図面に示す実施の形態を参照して説明する。
図１は本発明を適用する紙幣入出金機１の外観を示し、図２はその略示断面を示すもので、図２において機体２は上部域２Ａと下部域２Ｂとからなっており、下部域２Ｂの前部側には入金口３、出金口４、入金リジェクト口５が配設され、上部域には紙幣束放出口６、結束用紙幣集積部７、一括または金種別の紙幣束収納庫（紙幣束収納部）８、紙幣結束部９がそれぞれ配設されており、前記集積部７から送入される所定枚数の紙幣をテープにより結束し、結束後の紙幣束Ｐは前記紙幣束放出口６または紙幣束収納庫８へ搬送手段により搬送されるようになっている。
【０００９】
機体２の下部域２Ｂ内には、前記入金口３に続いて紙幣の搬送系が設けられている。この搬送系中には、紙幣の金種、真偽、正損等を識別する識別部１０が設けられており、その下流側に一時保留部１１への搬送路１２と、この搬送路１２（入金方向）と出金方向（出金または結束）との分岐部１３、出金方向において表裏反転部１４を経て出金口４および結束紙幣用集積部７方向への分岐部１５、出金口４と結束用紙幣集積部７との各搬送路１６，１７への分岐部１８が設けられている。また前記入金口３から識別部１０に至る間の途中部には入金リジェクト口５への合流部１９，２０がそれぞれ設けられており、前記搬送路１２は一時保留部１１への送入路２１に連なっている。この送入路２１と前記搬送路１２の識別部１０より上流側とは搬送路２２，２３で連なっている。
【００１０】
前記一時保留部１１の下方には金種別収納部２４が設けられている。この収納部２４には、５千円紙幣収納庫２５、万円紙幣収納庫２６、千円紙幣収納庫２７、出金リジェクト紙幣収納庫２８、損券収納庫２９が設けられ、上記出金リジェクト紙幣収納庫２８を除く他の収納庫２５，２６，２７，２９の直上位置に一時保留紙幣を貯留しておく保留室３０，３０…が設けられており、上記出金リジェクト紙幣収納庫２８へは搬送路２１から直接分岐して送入するようになされている。他の収納庫へは前記搬送路２１から送入搬送路３１，３１…を通じて送入され、繰出しは繰出し搬送路３２，３２…を通じて行われる。前記結束紙幣用集積部７の開口部にはシャッタ３３が設けられている。図１において３４は操作部を示す。
【００１１】
通常の入金の場合は、入金口３から図示しない通常の繰込み手段により紙幣が１枚ずつ繰込まれ、その繰込まれた紙幣は識別部１０において金種、真偽、正損等が識別され、正券紙幣は分岐部１３から搬送路１２、送入搬送路２１，３１…を通じ前記識別された金種に対応する収納庫２５〜２７のいずれかの一時保留室３０へ送入され、収納確認指令により各収納庫２５〜２７へ収納される。
【００１２】
上記収納において、いずれかの収納庫、例えば千円紙幣収納庫２７が規定収納量に近づいているとすると、千円紙幣収納庫２７に一旦受入れたのち再び繰出して識別部１０、分岐部１３、表裏反転部１４を経由し、分岐部１５，１８、搬送路１７を経て結束用紙幣集積部７へ送られて集積され、所定枚数に至ったとき紙幣結束部９へ送られ、テープによる結束が行われる。結束された紙幣束Ｐは、取出す必要がある場合は紙幣束放出口６へ、収納しておく場合は紙幣束収納庫８の対応金種収納部へ送られる。上記において千円紙幣が結束用紙幣集積部７へ送られる間は入金口３に残る混合紙幣はそのまま待ちの状態におかれる。
【００１３】
図３〜図６は結束部９で結束された紙幣束Ｐを収納庫８に収納または収納庫８からの取出しを行わせるため、図２の矢印Ａで示す部位に設けられる紙幣束収納投出装置の一例を示している。
【００１４】
図３はその一実施形態を示すもので、この実施形態では上部が開放された箱状の収納庫８内に２箇所の紙幣束収納部８Ａ，８Ｂを有する場合を示している。
【００１５】
上記収納庫８の上部には、その開口部の一端側から他端側にかけて延びる一対の載置板６１，６１が設けられている。これら載置板６１，６１は、その基部６１ａ，６１ａがガイドロッド４２に嵌合されて図３に示す最接近位置から矢印方向に離反し得るよう載置板開閉手段を構成しており、載置板６１，６１の最大離反時には載置板６１，６１間の距離が紙幣束Ｐの長手方向の長さより大きく開くようになされている。
【００１６】
上記載置板４１，４１の移動のための駆動は、例えば前記ガイドロッド４２に反対ネジを刻設してこれに載置板４１，４１の基部４１ａ，４１ａを螺合するようにし、このガイドロッド４２を回動させることにより載置板４１，４１が離接する方向に移動させるようにするなど、適宜な慣用手段を採用することができる。また載置板４１，４１の他端は図示しないガイドにより開閉移動がスムーズに行われるようになされる。
【００１７】
押出し部材４３は、前記一対の載置板４１，４１が紙幣束Ｐの両端部下面を支持する位置（図３の状態）におかれるとき、その載置板４１，４１間の間隔内に進入して載置板４１，４１上の紙幣束Ｐの側面に当接し得る押圧部４３ａを有し、図３に移動手段として象徴的に示すガイドロッド４４にそって載置板４１，４１の基端位置から他端位置近くまでの間にわたって移動可能とされている。
【００１８】
上記移動のための駆動は、例えばガイドロッド４４にそって無端状のベルトを配し、このベルトに押出し部材４３を固定して、ベルトの回動により押出し部材４３を移動させるようにするなど、適宜な手段を採用することができる。
【００１９】
また結束部９において結束された紙幣束Ｐは、図３に２点鎖線図示位置Ｐ１に適宜な手段により供給され、紙幣束Ｐの長手方向両端は図示しないガイドにより載置板４１，４１の外方へ移動しないようになされている。
【００２０】
したがって載置板４１，４１上に供給された紙幣束Ｐを収納庫８の収納部８Ａに収納する場合は、押出し部材４３が前進してその押圧部４３ａにより紙幣束Ｐが押され、図３に実線で示す位置へ移動したとき載置板４１，４１が開いてその間から紙幣束Ｐが収納部８Ａ内に落下収納される。他方の収納部８Ｂに収納する場合には、その直上位置に紙幣束Ｐが至ったとき載置板４１，４１が開き、その箇所に落下収納される。
【００２１】
紙幣束Ｐを機外へ投出する場合は、押出し部材４３を載置板４１，４１の未端近くまで前進させることにより矢印イのように収納庫８へは収納せずに機外への紙幣束放出口６へ投出することができる。
【００２２】
上記実施形態において収納庫８の収納箇所を２箇所とした場合について示したが、仕様に応じ１箇所あるいは３箇所以上とすることは任意である。
【００２３】
図４、図５は、収納庫８に収納した紙幣束Ｐを機外へ投出する機能を付加した実施形態を示すものである。
【００２４】
この実施形態では、収納庫８を２種の紙幣束Ｐ，Ｐを収納するように区分され、各収納部８Ａ，８Ｂ内には紙幣束Ｐを載置した状態で昇降駆動されるステージ４５，４５が設置されている。
【００２５】
上記各収納部８Ａ，８Ｂの上部には前記実施形態と同様に一対ずつの載置板４１Ａ，４１Ａおよび４１Ｂ，４１Ｂがそれぞれ設けられ、図４の位置から矢印方向に離反し得るようになっている。
【００２６】
図４において符号４６は機外への紙幣束投出部であり、その上端面４６ａは前記載置板４１Ａ，４１Ｂの上面と略同一高さ位置とされている。またＰ１は結束部９から収納または投出のために送り込まれる紙幣束の位置を示す。
【００２７】
したがって収納庫８へ紙幣束Ｐを収納する場合は、その上部の載置板４１Ａ，４１Ａ上へ紙幣束Ｐを押出し部材４３により押送したとき該載置板４１Ａ，４１Ａが離反することにより収納部８Ａ内へ落入収納される。
【００２８】
他方の収納部８Ｂへ収納する場合は、前記載置板４１Ａ，４１Ａは近接した状態のままにおかれ、その上を紙幣束Ｐを滑らせて上記収納部８Ｂ上の載置板４１Ｂ，４１Ｂ上まで押送し、そのとき載置板４１Ｂ，４１Ｂを離反させることにより紙幣束Ｐが収納部８Ｂ内へ落入収納される。
【００２９】
収納部８Ａ，８Ｂ内に収納されている紙幣束Ｐを投出させる場合は次のようにして行われる。まず収納部８Ａ内の紙幣束Ｐを投出させる場合は、その収納部８Ａの載置板４１Ａ，４１Ａは離反させておき、図５のようにその収納部８Ａのステージ４５を上昇させ、他方の収納部８Ｂの載置板４１Ｂ，４１Ｂは閉じた状態におく。次いで押出し部材４３が矢印方向に前進し、その押圧部４３ａで最上位の紙幣束Ｐを押し出し、隣位の載置板４１Ｂ，４１Ｂ上を滑らせて機外への投出部４６へ矢印ロの経路を経て投出される。
【００３０】
他方の収納部８Ｂに収納されている紙幣束Ｐを投出させる場合は、その収納部８Ｂの載置板４１Ｂ，４１Ｂを離反させ、図６のようにその収納部８Ｂのステージ４５を上昇させ、押出し部材４３を矢印方向に前進してその押圧部４３ａで最上位の紙幣束Ｐを投出部４６へ矢印ハのように投出する。
【００３１】
【発明の効果】
以上説明したように本発明によれば、機体の上部域に結束用紙幣集積部、結束手段、紙幣束収納部および紙幣束放出口を配置したので、それらの結束用紙幣集積部、結束手段、紙幣束収納部および紙幣束放出口を構成するために要するスペースが機体の上方位置に集約して構成することができ、これにより機体の設置時におけるスペースの削減を図ることができる。また結束後紙幣束を投出させるようにしても、その紙幣束放出口は機体の入金手段および出金手段が設けられた下部域より上にある上部域に位置するので、身体を屈めずとも紙幣束の取出しができる利点がある。
【図面の簡単な説明】
【図１】本発明の一実施形態を示す外観図。
【図２】同、縦断側面図。
【図３】紙幣束収納庫への紙幣束収納手段の一例を示す斜視図。
【図４】紙幣束収納庫に紙幣束投出機能を付加した場合の一例を示す斜視図。
【図５】同、投出作用の説明図。
【図６】同、投出作用の説明図。
【符号の説明】
１  紙幣入出金装置
２  機体
２Ａ  上部域
２Ｂ  下部域
３  入金口
４  出金口
６  紙幣束放出口
７  結束用紙幣集積部
８  紙幣束収納庫（紙幣束収納部）
９  紙幣結束部（結束手段）
１７  搬送路
【図１】
0003685895.tif 000002
【図２】
0003685895.tif 000003
【図３】
0003685895.tif 000004
【図４】
0003685895.tif 000005
【図５】
0003685895.tif 000006
【図６】
0003685895.tif 000007